(57)【要約】【課題】収納家具の地板にレール無しで見栄えの良いフラット引き違い戸を提供する。【解決手段】扉を閉じたときに左右が面一になるフラット引き違い戸において、左扉１においては、天板に設置された金属板のレール板Ｆに切り込まれた第一レール３と第二レール４の軌道に沿って吊り金具７に装着されたローラーｅが該レールの上を転動し左扉１は右扉２の後側に移動して行く、左扉１の裏側下部に設けられた箱型レール９及び１０内を、地板に設置された回転式スライドガイド８に系合させたガイドローラーｆが移動することによって扉１が、がたつくことなく安定した移動を可能とし、右扉２においても、レール板Ｆに切り込まれた第三レール５と第四レール６の軌道に沿って、右扉２が左扉１の前側を移動して行きますが、扉裏下部に設けられた箱型レール１０内を回転式スライドガイド８に装着させたローラーｆが移動する事によって左扉同様がたつく事なく安定した移動を可能とさせ。【選択図】図７
2020002757.tif 000002
【特許請求の範囲】
【請求項１】
引き違い戸が閉じたときに左右扉の表面がフラットになるフラット引き違戸において、天板には、吊り金具のランナーが通り抜けられるよう溝が掘り込まれており、溝の下場には、上レール用の金属板が取付けられ、該金属板には戸先側がくの字型の屈曲部を有した第一レールが切り抜かれ、戸尻側にも、くの字型の屈曲部を有した第二レールが切り抜かれ、各々のレールに系合し回転自在のローラーを備えた吊り金具に固定させた左扉と該扉が安定して移動出来るように下部で支持する為、扉裏下側に設けられた箱型レール内を、地板に装備された、回転式のスライドガイドが移動する構造となる、前記同様右扉用として、金属板に戸先側がくの字型の屈曲部を有した第三レールが切り抜かれ、やはり戸尻側がくの字型に屈曲部有した第四レールが切り抜かれ、各々のレールに系合し回転自在のローラーを備えた吊り金具に固定された右扉と該扉が安定して移動出来るように下部で支持する為、扉裏下側に設けられた箱型レール内を、地板に装備されたスライド式のガイドが移動出来るように構成された、フラット引き違い戸。
【請求項２】
請求項１における上レールは、該レールが必要とするスペースを極力少なくする為、金属板を利用し、左扉用として、先端がくの字型に折れ曲がった第一レールとやはり、先端がくの字型に折れ曲がった第二レールの切り込みがされ、右扉用として、先端がくの字型に折れ曲がった、第三レールと先端がくの字型に折れ曲がった第四レールが切り抜かれた形状の金属板が装備されたフラット引き違い戸。
【請求項３】
請求項１における左右の扉を下部で支持するガイドは、上レールの斜め１３５°の屈曲に沿って移動して行く扉を安定して走行出来るようにする為、地板に設置した回転式スライガイドと該回転式スライドガイドを誘導するレールを扉裏に備えたフラット引き違い戸。
【請求項４】
左右扉の戸尻側縦辺部には互いの扉が摺れ違った時に衝突しないように両扉の縦木口面を合ジャクリとし、なお且つメシ合わせ部を目透かし形状としたフラット引き違い戸。
【発明の詳細な説明】
【技術分野】
【０００１】本発明は住宅やオフィス等の収納家具の引き違い戸を閉じた時に左右の扉が面一になるフラット引き違い戸に関する
【背景技術】
【０００２】従来のフラット引戸及び引き違い戸では地板にはめ込んだレール上を扉下に取り付けた戸車やボールキャスターが転動して扉を移動させる構造でした。【０００３】しかしながら収納物を出し入れする際に地板に具備された下レールに当たりレールや品物が傷ついたり、レール内にゴミがたまったり、汚れが付着したりで見栄えが悪い欠点がありました、又レールを無くしたタイプもありますが片方の扉は固定された状態や一本引き戸で引き違い戸としての機能は果たす事は出来きていません。
【先行技術文献】
【特許文献】
【０００４】
【特許文献１】特開２０１３−２４５４４３
【特許文献２】特開２００９−１６１９１２
【非特許文献】
【０００５】スガツネ工業株式会社、総合カタログ３／３２００８年度版２６５−Ｐ５５（２２０プランフロント７０）
【発明の概要】
【発明が解決しようとする課題】
【０００６】特許文献１のように地板にレールがあると品物を出し入れする際にレール又は品物を傷付ける恐れがあり、レール内にゴミや埃がたまりやく見栄えが悪い【０００７】特許文献２及び非特許文献では上吊り式として地板のレールは無くしているが両方共片引き戸で引き違い戸としての機能は果たすことは出来ない又、吊り式にすると箱型の吊りレールを露出して取付けるか、天板内に納めるには天板を厚くするか、いずれも収納家具に利用するには余分なスペースが必要となり、その分収納範囲も狭くなり、やはり見栄も悪くコストアップとなってしまう。
【課題を解決するための手段】
【０００８】上記問題を解決する為、本発明においてはレールが必要とするスペースを極力、少なくし収納範囲を広くすると共に、地板のレールを無くしても左扉においては地板に回転式スライドガイドローラーを設け該扉の移動を支持し、右扉にも回転式スライドガイドローラーを設け、やはり該扉の移動を支持する構造とし、互いの扉が摺れ違う際に扉が衝突することのないよう戸尻側を合ジャクリに目透かし構造とし、左右の側板の手前に扉を被せる納まりの見栄えが良い、単純な構造のフラット引き違い戸を構成している
【発明の効果】
【０００９】本発明において上レールは従来の様な箱型の物でなく、レールが必要とするスペースを極力少なくする為金属板に４ヶ所のレールを切り抜いた物とし、該上レールに吊り込まれた吊り金具７と該金具に固定された扉は屈曲された上レールに沿って左扉１を開く場合は右斜め後方にスライドして行き、右扉２を開く場合は屈曲された上レールに沿って左斜め前方にスライドして行きますが、扉の下側に支える物が無いとその扉は重心を失い動かしたときにぐらついてしまい安定して移動することができません、その為に扉の下側に扉の軌道に対応できる支えが必要となってきますが、地板に上レールと同形状の下レールを設け扉にガイドを取り付、下レール内を稼働させれば安定して移動することができますが、下レールがあると前記のように物を出し入れするときに引っ掛ってレールや品物を傷つけたりレール内にゴミがたまったりして見栄えがよくありませんその為に吊り式扉構造としますが、従来の箱型の吊りレールのような露出する事での余分なスペースをなくすと共に、地板に下レールを設置しなくても安定して扉が移動できるように、上下に回転出来るスライドガイド構造とすることでそれらの課題を解決することができる。
【図面の簡単な説明】
【００１０】
【図１】左右の扉を閉じたフラットの状態の時の斜視図である。
【図２】前記の状態の平断面図と部分詳細図である。
【図３】左扉を開けた時の斜視図である。
【図４】前記状態の平断面図である。
【図５】右扉を開けた時の斜視図である。
【図６】前記状態の平断面図である。
【図７】左右の扉を閉じた状態を裏側から見た斜視図である。
【図８】上レール板の平図面である。
【図９】吊金具の納まりを裏側から見た斜視図である。
【図１０】左右扉の回転式スライドガイドの納まりを裏側から見た斜視図である。
【図１１】（ａ）左扉を開けた状態の回転式スライドガイドを裏側から見た斜視図である。
【図１１】（ｂ）左扉を開けた状態の回転式スライドガイドの断面図である。
【図１２】（ａ）右扉を開けた状態の回転式スライドガイドを裏側から見た斜視図である。
【図１２】（ｂ）右扉を開けた状態の回転式スライドガイドの断面図である。
【図１３】左右扉を開けた状態の側断面図である。
【図１４】フラット引き違い戸を連続して使用した場合のカウンター及び吊り戸棚の図面である。
【図１５】従来のレール式タイプで扉裏側から見た斜視図である。
【図１６】従来のレール無しタイプで前面から見た斜視図である。
【発明を実施する為の形態】
【００１１】本発明について、図１〜１６に基づいて説明する。
【００１２】図１及び図２は左右の扉を閉じたときに該扉が面一なフラット状態の図面で、従来の引き違い戸ではなしえなかった、扉を閉じたときに、左扉１及び右扉２が側板Ｃの手前で閉られる事で見栄えの良いデザインを可能とし、地板のレールを無くした事で、品物の出し入れも容易に出来るフラット引き違い戸の収納家具に用いる事が出来る。
【００１３】箱体は図１、図２に示す通り天板（Ａ）、地板（Ｂ）、左側板（Ｃ）、右側板（Ｄ）背板（Ｅ）から成り天板Ａにはあらかじめレールの軌道に合わせて吊り金具７のランナーｅが通り抜け出来るよう溝ジャクリをし、図８にあるような金属板レール体Ｆが備え付けられる、その各々切り込まれた４本のレールには図９にあるような吊り金具７が各々レールに一個づつ装備された回転自在のランナーｅが転動する事によって扉を移動させる構造となる。
【００１４】レールの形状は図８に示す通り金属板レール体Ｆに左扉１用として第一レール３と第二レール４の切り込みがされ、右扉２用として第三レール５と第四レール６の切り込みがされ、まずは左扉用として第一レールの戸先側先端部にランナーｅを挿入する為の切り込み穴３ｂが設けられ、くの字型１３５°に屈曲を設け斜め奥側へと直線レール３ａの切り込みが続き再度、くの字型１３５°の屈曲を設け直線レール３へと繋がる。
次に第二レールは左扉の戸尻側から一つめの、くの字型１３５°の屈曲を設け次に斜め奥側へ直線レール４ａに続いて行き再度、くの字型１３５°の屈曲を設け、直線レール４へと繋がって行き、その先端にランナーを挿入出来る切り込み穴４ｂが設けられた形状となり、この屈曲が設けられたレール形状が右扉をかわして奥側へと左扉が移動して行く役割を果たしていると共に扉が閉じたときに左側板Ｃの手前に扉が閉じられる納まりを可能としている。
同様に右扉２用として第三レールにおいては第一レールの逆タイプとなり、戸先側先端部にランナーを挿入する為の切り込み穴５ｂが設けられ、くの字型１３５°に屈曲を設け斜め手前側へと直線レール５ａの切り込みが続き再度、くの字型１３５°の屈曲を設け直線レール５と続く、次に第六レールは右扉の戸尻側から一つめの、くの字型１３５°の屈曲を設け次に斜め手前側へ直線レール６ａに続いて行き再度、くの字型１３５°に屈曲を設け直線レール６へと繋がり、その先端にランナーを挿入出来る切り込み穴６ｂが設けられた形状となり、この屈曲が設けられたレール形状が左扉をかわして手前側へと右扉が移動して行く役割を果たしていると共に扉が閉じたときに左側板Ｄの手前に扉が閉じられる納まりを可能としている。
【００１５】吊り金具７の形状は図９に示す通りＬ型の金具の上部先端に自在に回転するローラーが備えられた構造から成る樹脂ランナーｅが取付けられる。
該ランナーｅがレールＥの上部を回転して移動して行き、右扉の場合は左扉の上端を吊り金具７が移動する為、該金具をＬ型の形状とすることで、左扉１の前側を右扉２が移動することを可能としている。
又、吊り金具７の扉への固定方法は図９に示すようにまず先にレールＦの挿入穴（３ｂ、４ｂ、５ｂ、６ｂ）からレール内にはめ込んでおきます、次に吊り金具７の仮吊り用切り込み穴５２内に扉裏側に取付けられたビス５１を入れて仮固定する扉一枚に対し左右２ケ所の吊り金具７を仮固定し、高さ調整をした後でしっかりとビスで固定する。
【００１６】左扉１は図３及び図４のようにレール３と４の軌道に沿って一旦斜め後方に移動してから右扉をかわし、該扉の裏側を右にスライドして行き開状態となる。扉を閉じるときはやはりレール３、４の軌道に沿って右扉と面一なフラットな状態にもどる。
【００１７】同様に右扉２は図５のようにレール５、６の軌道に沿って一旦斜め手前に出てから左扉をかわし、左扉の前側を左にスライドして行き開状態となり、扉を閉じる時にはレール５、６の軌道に沿って左扉と面一なフラットの状態にもどる。
【００１８】左扉１の走行においては、支持金具（回転式スライドガイド８）が扉裏下側に設けられた戸尻側がくの字下方向に曲げられた箱型レール９ａ、９ｂに従い後、上側に回転することによって扉が右斜め後側に移動しても、ぐらつく事も無くスムーズに走行する事を補助する。回転式スライドガイド８の構造は図１０、１１で示すように金属の金具の先端に樹脂製のローラーｆが取付けられており上下に回転出来る事で、扉裏下側に設けられた箱型のレール（９ａ，９ｂ，１０ａ，１０ｂ）内を移動する。
該レールは戸尻側で下向きにくの字型に曲がっており左扉１が右側に移動すると回転式スライドガイドが箱型レールの軌道に沿って上向きに回転し上レールの軌道に沿った動きをすることで右扉２をかわし走行して行く
【００１９】右扉２においても、レールの軌道に従い左斜め前方に移動して行き、地板Ｂに取付けられた支持金具（回転式スライドガイド８）が扉裏下場に設けた戸尻側がくの字上方向に曲げられたレール１０ｂに従い手前、下側に回転することによって扉が左斜め前側に移動してもぐらつく事が無くスムーズに走行する事を補助する。
回転式スライドガイド８は左扉同様、図１０、１２に示す通りである。
右扉用の箱型レール１０ａ，１０ｂは戸尻側、上向きにくの字型に曲がっており右扉２が左側に移動すると回転式スライドガイドが箱型レール１０ａ，１０ｂの軌道に沿って前側に回転し倒れ上レールの軌道と同様な動きをすることで左扉１をかわし走行して行く
【００２０】図２（ａ）に示すように左扉１を閉じる際には屈曲した吊りレールの軌道に沿って一旦左斜め手前に移動してから再度屈曲したレールの軌道に沿って左側板Ｃの手前で閉じられます図２（ｃ）に示すように右扉２を閉じる際には屈曲した吊りレールの軌道に沿って一旦右斜め後方に移動してから再度屈曲した吊りレールの軌道に沿って右側板Ｄの手前で閉じられます。
【００２１】図２（ｂ）に示したように左右の扉の合せ部１１（戸尻側）は扉が１３５度の角度で移動する際に接触しないように互いの扉の小口は合いジャクリの構造とする。
【実施例】
【００２２】図１４のように連続して使用する場合でも側板が表面に出る事がなく従来の引き違い戸では出来えなかったスッキリとしたデザインで構成できる。
【符号の説明】
【００２３】Ａ：天板
Ｂ：地板
Ｃ：左側板
Ｄ：右側板
Ｅ：背板
Ｆ：レール板
１：左扉
２：右扉
３：左扉用第一レール
４：左扉用第二レール
５：右扉用第三レール
６：右扉用第四レール
７：吊り金具
８：回転式スライドガイド
９ａ．ｂ：左扉用ガイドローラー受レール
１０ａ．ｂ：右扉用ガイドローラー受レール
１１：左右扉合わせ目（合ジャクリ）
１３：手掛け
ｅ：ランナー
ｆ：ガイドローラー
ｇ：戸当たりクッション
【図１】
2020002757.tif 000003
【図２】
2020002757.tif 000004
【図３】
2020002757.tif 000005
【図４】
2020002757.tif 000006
【図５】
2020002757.tif 000007
【図６】
2020002757.tif 000008
【図７】
2020002757.tif 000009
【図８】
2020002757.tif 000010
【図９】
2020002757.tif 000011
【図１０】
2020002757.tif 000012
【図１１】
2020002757.tif 000013
【図１２】
2020002757.tif 000014
【図１３】
2020002757.tif 000015
【図１４】
2020002757.tif 000016
【図１５】
2020002757.tif 000017
【図１６】
2020002757.tif 000018